【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】
予約録画をする番組の入力経路、録画開始日時および録画終了日時を、録画予約設定情報として取り込んで記憶する情報取り込み記憶手段と、
その録画予約設定情報が取り込まれた録画予約番組の録画開始日時と録画終了日時との間の時間帯に重複して録画予約が設定されている番組があるか否かを判断する重複判定手段と、
この重複判定手段によって、重複して録画予約が設定されている番組があると判断されたとき、その重複して録画予約が設定された複数の番組につき、録画の優先順位を設定する設定手段と、
を備える画像記録装置。
【請求項２】
予約録画をする番組の入力経路、録画開始日時および録画終了日時を、録画予約設定情報として取り込んで記憶する情報取り込み記憶手段と、
その録画予約設定情報が取り込まれた録画予約番組の録画開始日時と録画終了日時との間の時間帯に重複して録画予約が設定されている番組があるか否かを判断する重複判定手段と、
この重複判定手段によって、重複して録画予約が設定されている番組があると判断されたとき、その重複して録画予約が設定された複数の番組が同じ圧縮符号化トランスポートストリームに属する番組であるか否かを判断し、同じ圧縮符号化トランスポートストリームに属する番組であるときには、上記複数の番組を同時に録画できるか否かを判断する同時録画判定手段と、
この同時録画判定手段によって、上記複数の番組が同じ圧縮符号化トランスポートストリームに属する番組ではないと、または上記複数の番組を同時に録画できないと判断されたとき、上記複数の番組につき、録画の優先順位を設定する設定手段と、
を備える画像記録装置。
【請求項３】
予約録画をする番組の入力経路、録画開始日時および録画終了日時を、録画予約設定情報として取り込んで記憶する情報取り込み記憶手段と、
その録画予約設定情報が取り込まれた録画予約番組の録画開始日時と録画終了日時との間の時間帯に重複して録画予約が設定されている番組があるか否かを判断する重複判定手段と、
この重複判定手段によって、重複して録画予約が設定されている番組があると判断されたとき、その重複して録画予約が設定された複数の番組を同時に録画できるか否かを判断する同時録画判定手段と、
この同時録画判定手段によって、上記複数の番組を同時に録画できないと判断されたとき、上記複数の番組につき、録画の優先順位を設定する設定手段と、
その設定された優先順位に応じて記録レートを変化させて、上記複数の番組を一つの圧縮符号化トランスポートストリームとして多重化して録画する多重化録画手段と、
を備える画像記録装置。
【請求項４】
上記録画予約設定情報の一つとして録画画質を含む、請求項１，２または３に記載の画像記録装置。
【請求項５】
上記重複判定手段によって、重複して録画予約が設定されている番組があると判断されたとき、その旨をユーザに警告する手段を備える、請求項１，２または３に記載の画像記録装置。
【請求項６】
予約録画をする番組の入力経路、録画開始日時および録画終了日時を、録画予約設定情報として取り込んで記憶する情報取り込み記憶ステップと、
その録画予約設定情報が取り込まれた録画予約番組の録画開始日時と録画終了日時との間の時間帯に重複して録画予約が設定されている番組があるか否かを判断する重複判定ステップと、
この重複判定ステップで、重複して録画予約が設定されている番組があると判断したとき、その重複して録画予約が設定された複数の番組につき、録画の優先順位を設定する設定ステップと、
を備える画像記録方法。
【請求項７】
予約録画をする番組の入力経路、録画開始日時および録画終了日時を、録画予約設定情報として取り込んで記憶する情報取り込み記憶ステップと、
その録画予約設定情報が取り込まれた録画予約番組の録画開始日時と録画終了日時との間の時間帯に重複して録画予約が設定されている番組があるか否かを判断する重複判定ステップと、
この重複判定ステップで、重複して録画予約が設定されている番組があると判断したとき、その重複して録画予約が設定された複数の番組が同じ圧縮符号化トランスポートストリームに属する番組であるか否かを判断し、同じ圧縮符号化トランスポートストリームに属する番組であるときには、上記複数の番組を同時に録画できるか否かを判断する同時録画判定ステップと、
この同時録画判定ステップで、上記複数の番組が同じ圧縮符号化トランスポートストリームに属する番組ではないと、または上記複数の番組を同時に録画できないと判断したとき、上記複数の番組につき、録画の優先順位を設定する設定ステップと、
を備える画像記録方法。
【請求項８】
予約録画をする番組の入力経路、録画開始日時および録画終了日時を、録画予約設定情報として取り込んで記憶する情報取り込み記憶ステップと、
その録画予約設定情報が取り込まれた録画予約番組の録画開始日時と録画終了日時との間の時間帯に重複して録画予約が設定されている番組があるか否かを判断する重複判定ステップと、
この重複判定ステップで、重複して録画予約が設定されている番組があると判断したとき、その重複して録画予約が設定された複数の番組を同時に録画できるか否かを判断する同時録画判定ステップと、
この同時録画判定ステップで、上記複数の番組を同時に録画できないと判断したとき、上記複数の番組につき、録画の優先順位を設定する設定ステップと、
その設定された優先順位に応じて記録レートを変化させて、上記複数の番組を一つの圧縮符号化トランスポートストリームとして多重化して録画する多重化録画ステップと、
を備える画像記録方法。
【請求項９】
上記録画予約設定情報の一つとして録画画質を含む、請求項６，７または８に記載の画像記録方法。
【請求項１０】
上記重複判定ステップで、重複して録画予約が設定されている番組があると判断したとき、その旨をユーザに警告するステップを備える、請求項６，７または８に記載の画像記録方法。
【請求項１１】
予約録画をする番組の入力経路、録画開始日時および録画終了日時を、録画予約設定情報として取り込んで記憶する情報取り込み記憶ステップと、
その録画予約設定情報が取り込まれた録画予約番組の録画開始日時と録画終了日時との間の時間帯に重複して録画予約が設定されている番組があるか否かを判断する重複判定ステップと、
この重複判定ステップで、重複して録画予約が設定されている番組があると判断したとき、その重複して録画予約が設定された複数の番組につき、録画の優先順位を設定する設定ステップと、
を含む、コンピュータが読み取り可能なプログラムが記録されている記録媒体。
【請求項１２】
予約録画をする番組の入力経路、録画開始日時および録画終了日時を、録画予約設定情報として取り込んで記憶する情報取り込み記憶ステップと、
その録画予約設定情報が取り込まれた録画予約番組の録画開始日時と録画終了日時との間の時間帯に重複して録画予約が設定されている番組があるか否かを判断する重複判定ステップと、
この重複判定ステップで、重複して録画予約が設定されている番組があると判断したとき、その重複して録画予約が設定された複数の番組が同じ圧縮符号化トランスポートストリームに属する番組であるか否かを判断し、同じ圧縮符号化トランスポートストリームに属する番組であるときには、上記複数の番組を同時に録画できるか否かを判断する同時録画判定ステップと、
この同時録画判定ステップで、上記複数の番組が同じ圧縮符号化トランスポートストリームに属する番組ではないと、または上記複数の番組を同時に録画できないと判断したとき、上記複数の番組につき、録画の優先順位を設定する設定ステップと、
を含む、コンピュータが読み取り可能なプログラムが記録されている記録媒体。
【請求項１３】
予約録画をする番組の入力経路、録画開始日時および録画終了日時を、録画予約設定情報として取り込んで記憶する情報取り込み記憶ステップと、
その録画予約設定情報が取り込まれた録画予約番組の録画開始日時と録画終了日時との間の時間帯に重複して録画予約が設定されている番組があるか否かを判断する重複判定ステップと、
この重複判定ステップで、重複して録画予約が設定されている番組があると判断したとき、その重複して録画予約が設定された複数の番組を同時に録画できるか否かを判断する同時録画判定ステップと、
この同時録画判定ステップで、上記複数の番組を同時に録画できないと判断したとき、上記複数の番組につき、録画の優先順位を設定する設定ステップと、
その設定された優先順位に応じて記録レートを変化させて、上記複数の番組を一つの圧縮符号化トランスポートストリームとして多重化して録画する多重化録画ステップと、
を含む、コンピュータが読み取り可能なプログラムが記録されている記録媒体。
【手続補正２】
【補正対象書類名】明細書
【補正対象項目名】０００７
【補正方法】変更
【補正の内容】
【０００７】
【課題を解決するための手段】
第１の発明の画像記録装置は、
予約録画をする番組の入力経路、録画開始日時および録画終了日時を、録画予約設定情報として取り込んで記憶する情報取り込み記憶手段と、
その録画予約設定情報が取り込まれた録画予約番組の録画開始日時と録画終了日時との間の時間帯に重複して録画予約が設定されている番組があるか否かを判断する重複判定手段と、
この重複判定手段によって、重複して録画予約が設定されている番組があると判断されたとき、その重複して録画予約が設定された複数の番組につき、録画の優先順位を設定する設定手段と、
を備えるものである。
【手続補正３】
【補正対象書類名】明細書
【補正対象項目名】０００８
【補正方法】変更
【補正の内容】
【０００８】
第２の発明の画像記録装置は、
予約録画をする番組の入力経路、録画開始日時および録画終了日時を、録画予約設定情報として取り込んで記憶する情報取り込み記憶手段と、
その録画予約設定情報が取り込まれた録画予約番組の録画開始日時と録画終了日時との間の時間帯に重複して録画予約が設定されている番組があるか否かを判断する重複判定手段と、
この重複判定手段によって、重複して録画予約が設定されている番組があると判断されたとき、その重複して録画予約が設定された複数の番組が同じ圧縮符号化トランスポートストリームに属する番組であるか否かを判断し、同じ圧縮符号化トランスポートストリームに属する番組であるときには、上記複数の番組を同時に録画できるか否かを判断する同時録画判定手段と、
この同時録画判定手段によって、上記複数の番組が同じ圧縮符号化トランスポートストリームに属する番組ではないと、または上記複数の番組を同時に録画できないと判断されたとき、上記複数の番組につき、録画の優先順位を設定する設定手段と、
を備えるものである。
【手続補正４】
【補正対象書類名】明細書
【補正対象項目名】０００９
【補正方法】変更
【補正の内容】
【０００９】
第３の発明の画像記録装置は、
予約録画をする番組の入力経路、録画開始日時および録画終了日時を、録画予約設定情報として取り込んで記憶する情報取り込み記憶手段と、
その録画予約設定情報が取り込まれた録画予約番組の録画開始日時と録画終了日時との間の時間帯に重複して録画予約が設定されている番組があるか否かを判断する重複判定手段と、
この重複判定手段によって、重複して録画予約が設定されている番組があると判断されたとき、その重複して録画予約が設定された複数の番組を同時に録画できるか否かを判断する同時録画判定手段と、
この同時録画判定手段によって、上記複数の番組を同時に録画できないと判断されたとき、上記複数の番組につき、録画の優先順位を設定する設定手段と、
その設定された優先順位に応じて記録レートを変化させて、上記複数の番組を一つの圧縮符号化トランスポートストリームとして多重化して録画する多重化録画手段と、
を備えるものである。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】